(57)【要約】  幼児のためのインスタント食品または飲料を貯蔵するための少なくとも一つの折りたたみ可能な部分と硬い区画室を有する膨張可能な容器（ＥＣ）。ＥＣの覆い可能な開口は滅菌したインスタント食品または飲料の気密密封のため及び食品または飲料の調製のための様々な液体のさらなる分配のため、並びに乳首または飲み口の取付けのために与える。授乳瓶のための乳首保持装置（ＮＲＤ）は授乳瓶及び／またはＥＣに取付け可能なベースリング及び乳首または飲み口が取付けられる上部リングからなる。上部リングはベースリングに旋回可能に接続され、閉じられるときにラッチによってベースリングにしっかりと固定される。上部リングは開放時に様々な液体を授乳瓶及び／またはＥＣ中に分配するために与える。【選択図】  図３
2008506446.tif 000002
【特許請求の範囲】
【請求項１】
授乳瓶のための乳首保持装置（ＮＲＤ）において、それが：
・  前記授乳瓶に取付け可能なベースリング；
・  乳首が取付け可能な上部リングであって、前記ベースリングに旋回可能に連結される上部リング；
・  前記上部リングを前記ベースリングに固定するためのラッチ
を含み、前記上部リングが、前記上部リングが前記ベースリングに固定される閉じた位置と前記上部リングが前記ベースリングから係合を外される開いた位置との間で回転可能であることを特徴とする授乳瓶のためのＮＲＤ。
【請求項２】
前記乳首の周囲フランジが前記瓶の首の縁と乳首の間の連結部を密封することを特徴とする請求項１に記載の授乳瓶のためのＮＲＤ。
【請求項３】
前記ベースリングが前記授乳瓶上にねじ込み可能であることを特徴とする請求項２に記載の授乳瓶のためのＮＲＤ。
【請求項４】
授乳瓶内で赤ん坊の食品を調製する方法において、それが：
ａ．ＮＲＤを、上部リングをベースリングに固定するつめを解放することによりパチンと音を立てて開くこと；
ｂ．液体の少なくとも測定された量を前記授乳瓶中に分配すること；
ｃ．前記上部リングを閉じた位置に強制し、それにより前記ＮＲＤを閉じること；
を含み、前記上部リングが前記ベースリングに旋回可能に連結されることを特徴とする授乳瓶内で赤ん坊の食品を調製する方法。
【請求項５】
乾燥した赤ん坊の食品を前記授乳瓶中に分配することを更に含むことを特徴とする請求項４に記載の瓶内で赤ん坊の食品を調製する方法。
【請求項６】
特に幼児に授乳するために適したインスタント食品のための膨張可能な容器（ＥＣ）において、それが：
・  乳首の取付けのために適応した前記ＥＣの上部に設けられた覆い可能な開口；
・  少なくとも一つの折りたたみ可能な部分；
・  前記少なくとも一つの折りたたみ可能な部分に付加された硬い区画室；
を含み、前記ＥＣの容積が、前記少なくとも一つの折りたたみ可能な部分が折りたたまれる第一の値と前記少なくとも一つの折りたたみ可能な部分が完全に膨張される第二の値との間で変化可能であることを特徴とする特に幼児に授乳するために適したインスタント食品のための膨張可能な容器（ＥＣ）。
【請求項７】
乳首保持装置（ＮＲＤ）を更に含み、前記ＮＲＤが：
・  前記開口に取付け可能なベースリング；
・  乳首が取付け可能な上部リングであって、前記ベースリングに旋回可能に連結される上部リング；
を含み、前記上部リングが、前記上部リングが前記ベースリングの上部に置かれる第一位置と前記上部リングが前記ベースリングから係合を外される第二位置との間で回転可能であることを特徴とする請求項６に記載の特に幼児に授乳するために適したインスタント食品のための膨張可能な容器（ＥＣ）。
【請求項８】
前記開口に取付けられた乳首を更に含むことを特徴とする請求項６に記載の特に幼児に授乳するために適したインスタント食品のための膨張可能な容器（ＥＣ）。
【請求項９】
前記開口に取付けられた飲み口と組合されたことを特徴とする請求項６に記載の特に幼児に授乳するために適したインスタント食品のためのＥＣ。
【請求項１０】
前記開口の上部に置かれたカバーと組合されたことを特徴とする請求項８または９のいずれかに記載の特に幼児に授乳するために適したインスタント食品のためのＥＣ。
【発明の詳細な説明】
【技術分野】
【０００１】
本発明は、瓶授乳、特に幼児に授乳するために特に適した授乳瓶及び授乳容器に関する。
【背景技術】
【０００２】
瓶授乳の柔軟性と便利さを促進しかつ幼児のために適した衛生的水準を提供する方法とシステムの開発に著しい努力が注ぎ込まれている。米国特許第４８０１００７号は、滅菌された液体の容器（この容器はプラスチックまたは積層紙から作られている）を授乳瓶に変形するために準備された取付け可能な乳首を開示する。しかし、かかる装置は、適当な調合乳が液体の形で入手できかつそれに応じて包装されているような場合に限定される。更に、かかる液体の包装は、主として、含まれた物質の一体性に向けられている。かかる包装は必ずしも赤ん坊へ追加の成分を分配するように与えられていない。
【０００３】
米国特許第５５７９９３５号は、使い捨てバッグライナーを持つ赤ん坊授乳瓶を開示する。かかる使い捨てバッグまたは容器内に包装された既製食品は、同様に種々の調合乳及び母乳等を想定することができる。しかし、かかるバッグまたは容器は、使用前の限定された時間のために低温で貯蔵されなければならない。
【０００４】
上述の両方の例は、主として食品調製の工程を簡略化する。他方で米国特許出願２００５００４０１２８Ａ１は、授乳工程自体を簡略化することを目的とする。この開示は、分配体により支持された柔軟な流体容器及びいずれの実際の方位でも連続的な授乳を可能とする長い流通管を持つ授乳瓶を記載する。しかし、かかる装置を採用するとき、食品調製の工程は、普通の授乳瓶と関連した同じ制限を受ける。
【発明の開示】
【０００５】
本発明は、幼児の瓶授乳のために特に適した方法とシステムを提供する。乳首保持装置（ＮＲＤ）が普通に入手できる授乳瓶並びに以下に述べられる新規な膨張可能な容器（ＥＣ）と組合せて使用するために提供される。本発明のＮＲＤは、一方の手で赤ん坊を抱いている個人が他方の手を用いて授乳瓶内でまたはＥＣ内で食品または飲物を調製することを容易とする。本発明のＥＣは、特に屋外使用のために有用である。
【発明を実施するための最良の形態】
【０００６】
乳首保持装置
まず図１−２を参照すると、そこには本発明の好適実施態様による授乳瓶と組合せたＮＲＤの正面側面図及び正面断面図がそれぞれ示されている。簡略化の目的のため、異なる図中に示された同じ部品は他に特記しない限り以下同じ番号で示される。ＮＲＤ８は、授乳瓶１０の上部に取付けられる。ＮＲＤ８は、授乳瓶１０に取付けられたベースリング１２と乳首１６が取付けられる上部リング１４とからなる。カバー１８が乳首を汚染から保護するために上部リング１４の上部に置かれる。任意のベース板２０が授乳瓶１０の底にその安定化のために取付けられる。授乳瓶１０及びカバー１８は典型的には、滅菌のために必要な高温に十分耐える透明材料から作られる。適当な透明材料は、ポリエチレン、ポリプロピレン、または授乳瓶及びまたは食品を貯蔵するための装置の製造に採用される他のプラスチック樹脂である。目盛マーク（図示せず）が含有された液体の容積を示すために授乳瓶１０の表面に任意に印される。ＮＲＤの両方のリングは典型的には、授乳瓶が作られているのと同じ材料から作られ、一方乳首１６とベース板２０は典型的には、ラテックスまたはシリコーンゴムのような柔軟材料から作られる。図２に示されるように、乳首１６は、その上端に図示されていない穴のあいた表面を持つマウスピース２１とその底に設けられた周囲フランジ２２を持つ。ベースリングは、ねじ山をつけられ、授乳瓶上の対応するねじ山をつけられた表面２３に固定するのを容易にする。ベースリングは、取付けられるかまたは授乳瓶の一体部分として形成されるかのいずれかである。
【０００７】
図３を参照すると、そこには本発明の好適実施例による部分的に開放されたＮＲＤの等角投影図が示されている。ベースリング１２は、首２４を取り囲むように授乳瓶１０に取付けられている。上部リング１４は、ベースリング１２に旋回可能に取付けられている。上部リング１４は、機能的に閉じた位置及び機能的に開いた位置の間で回転可能である。閉じた位置では、上部リングは、図１及び２に示されるようにベースリング１２の上部に固定される。開いた位置では、上部リング１４は、ベースリング１２から離れるように回転される。閉じた位置で上部リング１４は、ベースリング１２にラッチにより固定される。ラッチのつめ２８は、上部リング１４の切欠き２６中に嵌る。本発明のこの好適実施態様によるラッチは、偏倚支持体３０により切欠き２６中に偏倚される。上部リングが閉じた位置に押圧されると、つめ２８が切欠き２６中にスライドし、周囲フランジ２２が首２４の縁に対して押圧される。これによりＮＲＤは、しっかりと錠止されることとなり、首２４の縁と乳首１６の間の連結部はこの位置で密封される。つめ２８を内向きに押すことにより、つめは、切欠き２６から外れ、ＮＲＤは、変形したフランジ２２により付与される力により及び／または偏倚ばねによりパチンと音を立てて開くことができる。続いて、固体インスタント食品または調合乳が授乳瓶中に分配されることができ、水、ミルク及びまたはいずれかの適当な液体のような液体の測定された量が温かいまたは冷たいままのいずれかで更に授乳瓶中に分配される。続いて、上部リングが閉じた位置に強制的に戻される。全工程で、本発明の瓶を使用することにより、授乳瓶での食品の調製が片手を用いて達成されることができる。これらの作業は：（ｉ）ＮＲＤをパチンと音を立てて開くこと、（ｉｉ）測定された量の乾燥インスタント食品及びそれに対応する液体を分配すること、及び更に（ｉｉｉ）ＮＲＤを閉じること、（ｉｖ）カバーを置くこと、及び（ｖ）種々の成分のより良い混合のためにカバーされた授乳瓶を振り動かすこと、を含む。
【０００８】
膨張可能な容器
本発明の膨張可能な容器（ＥＣ）を膨張の異なる段階で示す図４−７を参照されたい。図４には最大に折りたたまれたＥＣの等角投影図が示されている。ＥＣ１００はＥＣの上側壁１０４に設けられた開口（図示せず）を覆う蓋１０２を持つ。上側壁１０４は硬い区画室１０６の上に設けられている。図５には完全に膨張したＥＣの等角投影図が示されている。図６及び図７にはそれぞれ部分的に膨張したＥＣの等角投影図が示されている。ＥＣは、一方を上側壁１０４としかつ他方を区画室１０６のような硬い区画室としてそれらの間に配置された少なくとも一つの折りたたみ可能な部分を更に含む。ＥＣ１００を膨張するために、まず蓋１０２がわずかに回転され膨張されつつあるＥＣの内腔に通気する。次いで折りたたみ可能な部分１１２の上部の上側壁１０４及び硬い区画室１０６の下に付加されている折りたたみ可能な部分１１４を密封するＥＣの底壁がそれぞれ矢印１２０と１２２により示されるように離れるように引っ張られる。全ての折りたたみ可能な区画室が広げられるとき、一つの共通内腔が形成される。
【０００９】
ＥＣが完全に膨張された段階で、蓋１０２は、開口から除去され、設置された乳首を持つ本発明のＮＲＤにより置き換えられる。赤ん坊のための食品を調製することは、上に述べられたような工程を実施することにより達成される。まず、ＮＲＤの上部リングがばね的に開かれ、測定された量の対応する液体がＥＣの内腔中に分配される。次いで上部リングがその錠止位置に強制的に戻され、ＥＣが含有された成分のより良い混合のために振り動かされる。
【００１０】
所望により相溶性の液体と混合するために適した種々の形式のインスタント食品及び／または調合乳及び／またはインスタント飲料が本発明によるＥＣ中に密封的に包装されている。かかるインスタント食品または飲料は、滅菌され、ＥＣ中にその上部折りたたみ可能部分を完全に折りたたむ段階に先立ち包装される。滅菌された食品または飲料を含むＥＣは屋外使用のために有用である。これに代えてインスタント食品及び／または添加物は液体の分配に先立ちＥＣ中に注入される。液体の分配に続いて、ＮＲＤの上部リングが錠止位置に強制され、カバーが更にＮＲＤの上部に置かれ、ＥＣが振り動かされる。この段階でＥＣは授乳の用意ができる。ホットチョコレートのような飲料のために適した飲み口が所望により本発明のＮＲＤの乳首と置き換えられる。ＮＲＤは所望により物理的に取付け可能ないずれかの乳首または飲み口により置き換えられる。
【００１１】
ＥＣは典型的には、積層薄板紙のような比較的硬くかつインスタント食品を貯蔵するために一般的に採用されている折りたたみ可能な材料から作られる。従って、完全に膨張したＥＣは、硬く、平らな表面上に置かれたとき安定である。所望によりＥＣの折りたたみ可能な部分は柔軟でかつ積層紙及び／またはポリエチレンのようなプラスチック樹脂から作られる。しかし、本発明のＥＣの少なくとも硬い区画室、上側壁及び底壁は、その内容物の密封的封止を提供する硬い材料から作られる。従って、本発明のＥＣは、実際には使い捨て可能な授乳瓶として役立つ。更に、折りたたまれたＥＣは環境温度での食品部分の比較的長期間の貯蔵を提供する。本発明のＥＣのかかる特徴は、特に屋外使用のために適している。
【図面の簡単な説明】
【００１２】
【図１】本発明の好適実施態様による授乳瓶と組合せた乳首保持装置（ＮＲＤ）の正面側面図である。
【図２】図１の授乳瓶と組合せたＮＲＤの断面正面図である。
【図３】図１の部分的に開放されたＮＲＤの等角投影図である。
【図４】本発明の好適実施態様による完全に折りたたまれた膨張可能な容器（ＥＣ）の等角投影図である。
【図５】図４の完全に膨張したＥＣの等角投影図である。
【図６】膨張の初期段階での図４の部分的に膨張したＥＣの等角投影図である。
【図７】図４の部分的に膨張したＥＣの等角投影図である。
【図１】
2008506446.tif 000003
【図２】
2008506446.tif 000004
【図３】
2008506446.tif 000005
【図４】
2008506446.tif 000006
【図５】
2008506446.tif 000007
【図６】
2008506446.tif 000008
【図７】
2008506446.tif 000009
【国際調査報告】
2008506446.tif 000010
2008506446.tif 000011